(57)【要約】【課題】２つの端末間で無線通信を実行するためのいくつかの組のＡＴまたはＨａｙｅｓコマンドを追加すること。【解決手段】これは、とりわけ前記無線通信が、ブルートゥース無線リンクを介してサポートされるときに、何らかの移動式マンマシンインターフェースを制御するように有利に構成される。その場合、これによって、シリアルポートプロファイルＳＰＰのほんの少しの変更で、ブルートゥースを介して電話をサポートすることができる。ＰＤＡオープンプラットフォームへの実装は特に容易である。【選択図】　　　図１
2004040779.tif 000002
【特許請求の範囲】
【請求項１】
２つの端末間で無線通信を実行する方法であって、
前記端末のそれぞれのシリアルポートプロファイルを使用するステップと、
ＡＴまたはＨａｙｅｓコマンドに基づくプロトコルを前記無線通信の音声チャネルの送信に適用するステップと
を備える方法。
【請求項２】
前記無線通信のサービスチャネルに前記プロトコルを適用する請求項１に記載の方法。
【請求項３】
前記２つの端末の少なくとも１つがゲートウェイであって、入通信は、前記ゲートウェイに到達して、前記無線通信を介してダイヤルされる前記端末の他の１つに送信され、出通信は、前記端末の他の１つによって作動され、前記無線通信を介して前記ゲートウェイに送信され、さらに先へ送信されることを特徴とする請求項１に記載の方法。
【請求項４】
前記ゲートウェイが、ある外部ネットワークまたは企業ネットワークに接続され、前記ネットワークとの相互動作を担当することを特徴とする請求項２に記載の方法。
【請求項５】
前記ゲートウェイが、前記他の端末の少なくとも一部のインターフェース管理を担当することを特徴とする請求項２に記載の方法。
【請求項６】
前記シリアルポートプロファイルが、ブルートゥースシリアルポートプロファイルであり、前記無線通信が、ブルートゥース無線リンクを介してサポートされることを特徴とする請求項１に記載の方法。
【請求項７】
シリアルポートプロファイルをサポートする少なくとも１つのモデム、およびもう一方の端末との無線通信を構築するためのＡＴまたはＨａｙｅｓコマンドを実行することができるプロセッサを備える端末。
【請求項８】
ブルートゥース移動端末であることを特徴とする請求項７に記載の端末。
【請求項９】
ある企業ネットワークまたは外部ネットワークに接続され、少なくとも１つのシリアルポートプロファイル、モデム、および端末との無線通信を構築するためのＡＴまたはＨａｙｅｓコマンドを実行することができるプロセッサを備え、同時に前記端末の少なくとも一部のインターフェース管理を担当するゲートウェイ。
【請求項１０】
前記シリアルポートプロファイルが、ブルートゥースシリアルポートプロファイルであり、前記無線通信が、ブルートゥース無線リンクを介してサポートされることを特徴とする請求項９に記載のゲートウェイ。
【発明の詳細な説明】
【技術分野】
【０００１】
本発明は、２つの端末間で無線通信を実行する方法に関する。より詳細には、こうした無線通信を実行することができる端末に関する。さらに、ある企業ネットワークまたは外部ネットワークに接続され、こうした無線通信を実行することができるゲートウェイに関する。
【背景技術】
【０００２】
とりわけ、人々の移動の増加、およびインターネットプロトコルベースの電話、スマートコンピュータ、ＰＤＡ（Ｐｅｒｓｏｎａｌ　Ｄｉｇｉｔａｌ　Ａｓｓｉｓｔａｎｔ）、スマート携帯電話など、使用される異なる端末の増加により、近年、配線問題の克服に対する関心が高まってきた。一部のプロトコルが、これらの異なる端末間でデータの無線転送ができるように設定された。その場合、短距離通信は、最も信頼性が高いと思われ、多くの目的に使用されている。短距離通信を使用するために、パーソナルエリアネットワークＰＡＮの装置およびアプリケーションが増加する傾向にある。また、とりわけ移動中の快適さを最適にするために、個人用データ装置を含む「オールインワンのハンドセット」の方向に開発が進むように思われる。こうしたタイプのハンドセットは、標準セル通信をサポートしており、また短距離通信を使用してその近くのＰＡＮ装置と通信する能力も備えている。
【０００３】
「ブルートゥース」標準は、音声アプリケーションおよび電話（コードレス電話、無線ヘッドセットなど）、およびデータ同期（ラップトップからパーソナルコンピュータへの通信、無線ＬＡＮ　ゲートウエイ（ｌｏｃａｌ　ａｒｅａ　ｎｅｔｗｏｒｋ　Ｇａｔｅｗａｙｓ）など）にも多く使用する短距離無線通信標準である。ブルートゥース無線技術は、干渉を低減するために、ガウス周波数シフトキーイング（Ｇａｕｓｓｉａｎ　Ｆｒｅｑｕｅｎｃｙ　Ｓｈｉｆｔ　Ｋｅｙｉｎｇ：ＧＦＳＫ）変調を、周波数ホッピング（１６００ホップ／秒）と併用することによって動作する。公称リンクは１０ｍであり、全体のデータ転送速度は１Ｍｂｐｓである。ブルートゥース無線は、２．４ＧＨｚ帯の免許取得不要なＩＳＭ（工業用、科学用、医療用）のスペクトルで、ピコセルのトポロジで動作し、全体のデータ転送速度は１Ｍｂｐｓである。ブルートゥースベースバンド技術は、音声用のＳＣＯ（同期コネクションオリエント（Ｓｙｎｃｈｒｏｎｏｕｓ　Ｃｏｎｎｅｃｔｉｏｎ　Ｏｒｉｅｎｔｅｄ））リンク、およびパケットデータ用のＡＣ（非同期コネクションレス（Ａｓｙｎｃｈｒｏｎｏｕｓ　Ｃｏｎｎｅｃｔｉｏｎｌｅｓｓ））リンクの両方をサポートしている。
【０００４】
しかし、ブルートゥース標準で定義されるコードレス電話プロファイルは、非常に複雑である。これは、Ｑ９３１（機能的手法）の上層のＬ２ＣＡＰ（Ｌｏｇｉｃａｌ　Ｌｉｎｋ　Ｌａｙｅｒ　Ｃｏｎｔｒｏｌ　ａｎｄ　Ａｄａｐｔａｔｉｏｎ　Ｐｒｏｔｏｃｏｌ：論理リンク層制御および適応プロトコル）層をベースにしている。これによって、着呼および発呼の基本的な電話サービス、および発信番号識別、デュアルトーンマルチ周波数（Ｄｕａｌ　Ｔｏｎｅ　Ｍｕｌｔｉ−Ｆｒｅｑｕｅｎｃｙ）、レジスタリコール（ｒｅｇｉｓｔｅｒ　ｒｅｃａｌｌ）など、非常に限られた補助サービスをサポートすることができる。
【考案の開示】
【発明が解決しようとする課題】
【０００５】
本発明の目的は、新しい特性を開発することなく、すでに存在する技術を使用して無線通信の可能性を提供することである。
【課題を解決するための手段】
【０００６】
この目的は、請求項１に記載したように２つの端末間で無線通信を実行する方法によって達成される。さらに本発明は、請求項７による端末を提供する。さらに、請求項９によるゲートウェイを提供する。
【０００７】
２つの端末間で無線通信を実行するためのいくつかの組のＡＴまたはＨａｙｅｓコマンドを追加することが提案される。これは、とりわけ前記無線通信がブルートゥース無線リンクを介してサポートされるとき、何らかの移動式マンマシンインターフェースを制御するように有利に構成される。その場合、これによって、シリアルポートプロファイルＳＰＰのほんの少しの変更で、ブルートゥースを介して電話をサポートすることができる。ＰＤＡオープンプラットフォームへの実装は、特に容易である。
【０００８】
本発明の他の有利な特徴は、従属クレームに定義しており、以下の説明および図面から明らかになる。
【０００９】
次に、本発明の一実施形態を添付の図面を参照してさらに詳しく説明する。
【発明を実施するための最良の形態】
【００１０】
図１は、ブルートゥース無線リンクを介した無線通信の設定の構成概要を示している。ここでは、ブルートゥースを示しているが、これは限定的なものではない。別のプロトコルを使用することができる。この実施例では、本発明による無線通信を実行するための方法が、移動電話とブルートゥース音声ゲートウェイの間のプロトコルに適用される。これは、ブルートゥース標準１．１に定義されているＳＰＰを利用する。通信は、１つのデュアルモードブルートゥース／ＧＳＭ移動電話と１つのブルートゥース音声ゲートウェイの間で設定される。
【００１１】
より一般的には、２つの端末（図１の移動電話とゲートウェイ）の間の無線通信は、それぞれのシリアルポートプロファイルＳＰＰ、およびＡＴまたはＨａｙｅｓコマンドに基づく前記通信の伝送プロトコルを使用して実行される。前記プロトコルは、前記通信の音声チャネルにも適用される。
【００１２】
端末（図１の移動電話）は、シリアルポートプロファイルをサポートする少なくとも１つのモデム、およびもう一方の端末（図１のゲートウェイ）との無線通信を構築するためのＡＴまたはＨａｙｅｓコマンドを実行することができるプロセッサを備える。一方の端末（図１のゲートウェイ）は、構内交換機（Ｐｒｉｖａｔｅ　Ｂｒａｎｃｈ　Ｅｘｃｈａｎｇｅ）ＰＢＸなどの何らかの企業ネットワークに接続する、あるいは何らかの外部ネットワーク（ＩＳＤＮ、ＰＳＴＮ、ＬＡＮなどＩＰベースのもの）に直接接続することができる。ゲートウェイは、少なくとも１つのシリアルポートプロファイル、モデム、および前記端末（移動電話）との無線通信を構築するためのＡＴまたはＨａｙｅｓコマンドを実行することができるプロセッサを備え、同時に前記端末の少なくとも一部のインターフェース管理を担当する。一般にゲートウェイは、少なくとも通信に関連するとき、ＰＢＸまたはネットワーク、および移動式マンマシンインターフェースとの相互動作を担当する。
【００１３】
移動端末が、ゲートウェイなどのアクセスポイントのブルートゥースの受信可能エリア内にあるとき、アクセスポイントは、１つのブルートゥースシリアルポートプロファイルの移動電話との設定を行い、移動式マンマシンインターフェースを制御する。
【００１４】
図２は、移動電話の着呼を設定するときに本方法がたどるステップの図を示している。アクセスポイントが、移動電話を呼び出したいとき、ベルを使用し、また特定のメッセージを表示して、移動電話にブルートゥースの着呼を通知するための２、３のＡＴコマンドを送信する。通信中、専用のアクションまたは通知は、アクセスポイントの制御下にある。図２は、通信解放の２つの状況を示している。ケース１では、解放は、ネットワークからのイベントによってネットワークによって開始される。アクセスポイント（ゲートウェイ）は、移動電話に、同期コネクションオリエントＳＣＯチャネルを解放するよう要求する。移動電話は、リンクマネージャ層でこのメッセージを変換する。次いでアクセスポイントは、信号を送信して、呼の終了を移動電話のディスプレイに表示する。ケース２では、解放は、ハングアップキーを使用して、移動電話によって開始される。移動電話がブルートゥース受信可能範囲を離れると、シリアルポートプロファイルは閉じられる。
【００１５】
図３は、移動電話の発呼を設定するときに本方法がたどるステップの図を示している。アクセスポイント（ゲートウェイ）が、移動電話を呼び出したいとき、移動電話にブルートゥースの通知がアクセスポイントの制御下にあることを通知するための２、３のＡＴコマンドを送信する。図３は、通信解放の２つの状況を示している。ケース１では、解放は、ネットワークからのイベントによってネットワークによって開始される。アクセスポイントは、移動電話に、ＳＣＯチャネルを解放するよう要求する。移動電話は、リンクマネージャ層でこのメッセージを変換する。次いでアクセスポイントは、信号を送信して、呼の終了を移動電話のディスプレイに表示する。ケース２では、解放は、ハングアップキーを使用して、移動電話によって開始される。移動電話がブルートゥースの受信可能範囲を離れると、シリアルポートプロファイルは閉じられる。
【００１６】
本方法を使用して、いくつかの補助サービスを有利に提供することができる。移動電話が、ゲートウェイのブルートゥース受信可能エリアにあるとき、ゲートウェイまたはアクセスポイントは、ブルートゥースシリアルポートプロファイルの移動電話との設定を行い、移動式マンマシンインターフェースを制御する。ゲートウェイは信号を送信して、移動電話のディスプレイに、移動電話をブルートゥースインフラストラクチャによって管理できることを表示する。ブルートゥースを介してマンマシンインターフェースリモート機能を使用するとき、移動電話側でＰＢＸの補助サービスを管理することが可能である。通信が設定されていないとき、名前でダイヤルできる機能（ｄｉａｌ　ｂｙ　ｎａｍｅ　ｆｅａｔｕｒｅ）をサポートすることができる。通信がアクティブのとき、会議または呼の転送をサポートすることができる。
【００１７】
ＡＴまたはＨａｙｅｓコマンドによってアクセスできる、または制御できる多数のサービスがあるため、本手法は、過度の変更を加えることなくそれらに利益を得ることができる。さらに、すべてのＡＴコマンドアプリケーションまたはスクリプト内で音声を容易に制御することができる。例えばＰＢＸ、従来のＰＢＸをマッピングするＩＰサーバなどによって管理される企業環境でＧＳＭ類の移動電話を使用する可能性を与える。
【図面の簡単な説明】
【００１８】
【図１】本発明による無線通信方式の構成の概略を示す図である。
【図２】本発明による端末の着呼を示す図である。
【図３】本発明による端末の発呼を示す図である。
【図１】
2004040779.tif 000003
【図２】
2004040779.tif 000004
【図３】
2004040779.tif 000005
【外国語明細書】
2004040779.tif 000006
2004040779.tif 000007
2004040779.tif 000008
2004040779.tif 000009
2004040779.tif 000010
2004040779.tif 000011
2004040779.tif 000012
2004040779.tif 000013
2004040779.tif 000014
2004040779.tif 000015
2004040779.tif 000016